(57)【要約】  本発明は、箱内に収納された消費財の包装された束を含む容器に関し、箱は、箱底壁と、第１の箱側壁と、第２の箱側壁と、箱背面壁と、箱前壁とを更に含み、容器は、蓋を更に含み、蓋は、ヒンジ線にわたって箱にヒンジ式に接続され、蓋は、蓋上壁と、第１の蓋側壁と、第２の蓋側壁と、蓋背面壁と、蓋前壁とを更に含み、容器は、２つの波状輪郭によって境界付けられた少なくとも１つの波形面を含み、少なくとも１つの波形面は、少なくとも１つの波形面が２つの隣接する壁を少なくとも部分的に架橋するように、蓋の２つの隣接する壁間又は箱の２つの隣接する壁間に配置される。【選択図】      図１
2013534497.tif 000002
【特許請求の範囲】
【請求項１】
箱を含む容器であって、
箱が、箱底壁と、第１の箱側壁と、第２の箱側壁と、箱背面壁と、箱前壁とを更に含み、
容器が、蓋を更に含み、該蓋は、ヒンジ線にわたってヒンジ式に前記箱に接続され、該蓋は、蓋上壁と、第１の蓋側壁と、第２の蓋側壁と、蓋背面壁と、蓋前壁とを更に含み、
容器が、２つの波状輪郭によって境界付けられた少なくとも１つの波形面を含み、該少なくとも１つの波形面は、前記蓋の２つの隣接する壁間又は前記箱の２つの隣接する壁間に該少なくとも１つの波形面が該２つの隣接する壁を少なくとも部分的に架橋するように配置され、
前記波形面を境界付ける前記２つの波状輪郭は、互いに対して位相差を含む、
ことを特徴とする容器。
【請求項２】
前記箱の円周の方向の前記２つの波状輪郭間の距離が、連続的に変化することを特徴とする請求項１に記載の容器。
【請求項３】
前記少なくとも１つの波形面は、前記箱前壁と前記箱側壁のうちの一方との間に設けられることを特徴とする請求項１から請求項２のいずれか１項に記載の容器。
【請求項４】
２つの波状輪郭によって境界付けられた少なくとも１つの第１の波形面が、２つの箱壁間に設けられ、少なくとも１つの第２の波形面が、２つの蓋壁間に設けられることを特徴とする請求項１から請求項３のいずれか１項に記載の容器。
【請求項５】
２つの箱壁間に設けられた２つの波状輪郭によって境界付けられた前記少なくとも１つの第１の波形面と、２つの蓋壁間に設けられた２つの波状輪郭によって境界付けられた前記少なくとも１つの第２の波形面とは、互いに整列することを特徴とする請求項４に記載の容器。
【請求項６】
前記箱前壁に取り付けられた個別の内側フレームを更に含み、
前記内側フレームは、前記蓋が閉じる時に該蓋のためのロッキング係合を提供するために該内側フレームから外向きに延びる耳状突起を有する、
ことを特徴とする請求項１から請求項５のいずれか１項に記載の容器。
【請求項７】
前記内側フレームは、前記箱前壁と該内側フレームの隣接する箱側壁との間に配置されて該箱前壁と該内側フレームの該隣接する箱側壁とを架橋する２つの波状輪郭によって境界付けられた少なくとも１つの波形面を含むことを特徴とする請求項６に記載の容器。
【請求項８】
前記内側フレームは、前記箱前壁と箱側壁の間に配置された対応する波形面がある時には必ず前記前壁と箱側壁の間に配置された２つの波状輪郭によって境界付けられた少なくとも１つの波形面を含むことを特徴とする請求項７に記載の容器。
【請求項９】
同じ２つの隣接する壁の間に配置された２つから５つの波形面を含むことを特徴とする請求項１から請求項８のいずれか１項に記載の容器。
【請求項１０】
前記少なくとも１つの波形面は、１つから５つの間の起伏を含むことを特徴とする請求項１から請求項９のいずれか１項に記載の容器。
【請求項１１】
喫煙物品を含むことを特徴とする請求項１から請求項１０のいずれか１項に記載の容器。
【発明の詳細な説明】
【技術分野】
【０００１】
本発明は、消費財のための容器に関する。
【背景技術】
【０００２】
容器は、消費財、特に喫煙物品を包装する分野では特に公知である。一般的に、そのような容器は、実質的に直方体形状を有する。当業技術で公知のこれらの容器の一部は、傾斜又は丸みを付けた縦方向縁部又は横断方向縁部も含む。
【０００３】
底壁、第１及び第２の側壁、背面壁と前壁、及びヒンジ式に接続した蓋を有する箱を含む容器は、ＤＥ−Ａ−１０３  １４  ３７５から公知である。架橋表面は、前壁とそれぞれの隣接する側壁との間、並びに背面壁とそれぞれの隣接する側壁との間に配置される。架橋表面は、前壁及びそれぞれの側壁との又は背面壁及びそれぞれの側壁との固定された角度を含む平坦面である。平坦な架橋表面は、箱が多角形の形状を有するように箱の縦方向に延びる直線によって境界付けられている。
【先行技術文献】
【特許文献】
【０００４】
【特許文献１】ＤＥ−Ａ−１０３  １４  ３７５
【特許文献２】ＵＳ−Ａ−４，７１４，０８２
【特許文献３】ＵＳ−Ａ−５，６９２，５２５
【発明の概要】
【発明が解決しようとする課題】
【０００５】
包装の分野では、容器内に収納された消費財を保護する剛性容器を提供し、かつ同時に興味を引く視覚的及び触覚的外観を提供することは望ましいであろう。この点に関して、本発明の特定の目的は、それぞれの隣接配置された壁に対して捩れた架橋表面を有する容器を提供することである。これは、本発明による容器によって達成される。
【課題を解決するための手段】
【０００６】
本発明により、箱を含む消費財のための容器を提供し、箱は、箱底壁と、第１の箱側壁と、第２の箱側壁と、箱背面壁と、箱前壁とを更に含む。容器は、ヒンジ線にわたってヒンジ式に箱に接続した蓋を更に含み、蓋は、蓋上壁と、第１の蓋側壁と、第２の蓋側壁と、蓋背面壁と、蓋前壁とを更に含む。
【０００７】
容器は、２つの波状輪郭によって境界付けられた少なくとも１つの波形面を更に含む。少なくとも１つの波形面は、少なくとも１つの波形面が２つの隣接する壁を少なくとも部分的に架橋するように、箱の２つの隣接する壁間又は蓋の２つの隣接する壁間に配置される。
【０００８】
更に、波形面を境界付ける２つの波状輪郭は、互いに対して位相差を含む。
【０００９】
用語「波状輪郭」は、本明細書全体を通じて、その方向を連続的に変化させかつ少なくとも１つの凹部区画及び１つの凸部区画を有する波状の線を指すために用いられる。波状線の好ましい例は、「Ｓ字形曲線」である。２つの波状輪郭は、実質的に互いに合同であることが好ましい。波形面を縁取る２つの波状輪郭は、容器のブランクにおいて、すなわち、波形面が平坦でありかつ容器が組み立てられていない場合に、波形面の図心に対して実質的に点対称であることが好ましい。波状輪郭の好ましい例は、正弦曲線輪郭である。
【００１０】
互いに対して位相差を有する２つの波状輪郭は、望ましい捩れた架橋表面の形成を可能にする。この点に関して、用語「捩れた」は、架橋表面に対する法線の方向が架橋表面に沿って変化することを意味する。位相差は、一般的に約０度から９０度（０度を除く）の範囲内で変わることができる。位相差は、約３０度から９０度の範囲内で変わることが好ましい。位相差は、約４５度から９０度の範囲内で変わることがより好ましい。用語「約」が用いられる時には必ず、この用語は、０度の値を除き、厳密値を開示及び含むことも意図される。
【００１１】
上述の波形架橋表面は、鋭い縁部の形成を回避し、そのようにして容器を取り扱いやすくし、かつ容器の興味を引く視覚的及び触覚的外観を提供する。特に、それは、望ましい捩れた架橋表面の形成を可能にする。
【００１２】
円周の方向における２つの波状輪郭間の距離は、連続的に変化することが好ましい。
【００１３】
少なくとも１つの波形面は、前壁と隣接する側壁のうちの一方との間に設けられることが好ましい。波状輪郭によって境界付けられた波形面は、本発明による容器のより人を引き付ける外観に貢献するので、波形面は、それが消費者によく見えるように、前壁と側壁のうちの少なくとも一方との間に設けられる。本発明による容器の１つの特定的な実施形態において、波形面は、前壁と側壁の各々との間に設けられる。
【００１４】
少なくとも１つの第１の波形面は、２つの箱壁間に設けられ、少なくとも１つの第２の波形面は、２つの蓋壁間に設けられることが好ましい。２つの箱壁間に設けられた少なくとも１つの第１の波形面及び２つの蓋壁間に設けられた少なくとも１つの第２の波形面は、互いに整列することが好ましい。この構成では、蓋が箱部分と整列する時に、閉じた容器は、高さ全体に沿って興味を引く縁部を示す。その実施形態において、箱上の波状輪郭は、容器が閉じている時に箱上の波形面と蓋とが箱から蓋まで連続すると見えるように、蓋上の波状輪郭と一致することができる。
【００１５】
本発明による容器は、容器の本体の前壁に取り付けられた個別の内側フレームを更に含むことが好ましい。このような内側フレームは、蓋が閉じた位置に置かれた時に蓋のためのスナップ式係合を提供するためにこのような内側フレームから外向きに延びる耳状突起を有する。これは、スナップ式係合が蓋の非意図的開放を防止し、かつ同時に「クリック」音によって容器が閉じていることが消費者に示される点で特に有利である。
【００１６】
内側フレームは、２つの波状輪郭によって境界付けられた少なくとも１つの内側フレーム波形面を有することが好ましい。内側フレーム波形面は、内側フレーム前部と隣接する内側フレーム側部との間に配置される。内側フレーム波形面は、内側フレーム前部とそれぞれの隣接する内側フレーム側部との間にあり、内側フレーム前部と隣接する内側フレーム側部とを架橋する。この内側フレームは、波状輪郭によって境界付けられた波形面により改善された容器の人を引き付ける外観を完成することができる。特に、内側フレームは、容器の前壁と隣接する側壁との間に配置された対応する波形面がある時には必ず、内側フレーム前部とこのような隣接する内側フレーム側部との間に配置されたこのような波形面を有することができる。
【００１７】
本発明による容器は、同じ２つの隣接する壁間、すなわち、単一の第１の蓋壁と単一の第２の蓋壁との間又は単一の第１の箱壁と単一の第２の箱壁との間に配置された２つから５つの波形面を含むことが好ましい。
【００１８】
少なくとも１つの波形面は、１つから５つの起伏を含むことが好ましい。これは、本発明による容器の更に広範な視覚的及び触覚的外観を可能にする。
【００１９】
本発明による容器は、直角の縦方向縁部及び直角の横断方向縁部を備えた直方体の形状とすることができる。代替的に、容器は、少なくとも１つの波形面に加えて、１つ又はそれよりも多くの丸みを付けた縦方向縁部、丸みを付けた横断方向縁部、傾斜を付けた縦方向縁部、又は傾斜を付けた横断方向縁部、又はその組合せを含むことができる。例えば、本発明による容器は、限定することなく、
−前壁上の１つ又は２つの縦方向の丸み又は傾斜を付けた縁部、及び／又は背面壁上の１つ又は２つの縦方向の丸み又は傾斜を付けた縁部、
−前壁上の１つ又は２つの横断方向の丸み又は傾斜を付けた縁部、及び／又は背面壁上の１つ又は２つの横断方向の丸み又は傾斜を付けた縁部、
−前壁上の１つの縦方向の丸みを付けた縁部及び１つの縦方向の傾斜を付けた縁部、並びに／又は背面壁上の１つの横断方向の丸みを付けた縁部及び１つの横断方向の傾斜を付けた縁部、
−前壁上の１つ又は２つの横断方向の丸み又は傾斜を付けた縁部及び前壁上の１つ又は２つの縦方向の丸み又は傾斜を付けた縁部、
−第１の側壁上の２つの縦方向の丸み又は傾斜を付けた縁部又は第２の側壁上の２つの横断方向の丸み又は傾斜を付けた縁部、
を含むことができる。
【００２０】
容器が１つ又はそれよりも多くの丸みを付けた縁部を含み、かつ層状ブランクから製造される場合、ブランクは、組み立てられる容器において各丸みを付けた縁部を形成するために、３つ、４つ、５つ、６つ、又は７つの刻み線又は折り線を含むことが好ましい。刻み線又は折り線は、容器の内側上又は容器の外側上のいずれかにあることができる。刻み線又は折り線は、約０．３ｍｍから４ｍｍだけ互いから離間していることが好ましい。
【００２１】
折り線又は刻み線の間隔は、層状ブランクの厚みの関数であることが好ましい。折り線又は刻み線間の間隔は、層状ブランクの厚みよりも約０．５倍から約４倍大きいことが好ましい。
【００２２】
容器が１つ又はそれよりも多くの傾斜を付けた縁部を含む場合、傾斜を付けた縁部は、約１ｍｍから約１０ｍｍ、好ましくは約２から約６ｍｍの幅を有することが好ましい。代替的に、容器は、容器の縁部上に２つの別々の傾斜が形成されるように離間した３つの平行な折り線又は刻み線によって形成された二重傾斜を含むことができる。
【００２３】
代替的に、容器は、非矩形の横断面、例えば、三角形又は六角形のような多角形、又は長円形、半長円形、円形、又は半円形の横断面を有することができる。
【００２４】
容器が傾斜を付けた縁部を含み、かつ層状ブランクから製造される場合、傾斜は、層状ブランク内の２つの平行な折り線又は刻み線によって形成することができる。折り線又は刻み線は、第１の壁と第２の壁の間に縁部に対して対称的に配置することができる。代替的に、折り線又は刻み線は、傾斜が容器の第２の壁内よりも容器の第１の壁内により遠くまで到達するように、第１の壁と第２の壁の間に縁部に対して非対称的に配置することができる。
【００２５】
容器は、以下に限定するものではないが、ボール紙、板紙、プラスチック、金属、又はその組合せを含むあらゆる適切な材料から形成することができる。ボール紙は、１平方メートル当たり約１００グラムから１平方メートル当たり約３５０グラムの重量を有することが好ましい。
【００２６】
本発明による容器は、様々な消費財のためのパッケージとして用いることができる。特に好ましい実施形態において、本発明による容器は、喫煙物品を包装するのに用いられる。本発明による容器は、以下に限定するものではないが、従来の端部着火シガレット、シガー又はシガリロ、可燃性の燃料要素又は熱源及びエアロゾル発生基体を含む加熱式喫煙物品（例えば、ＵＳ−Ａ−４，７１４，０８２に開示された種類のシガレット）、並びに電気喫煙システムと共に用いるための喫煙物品（例えば、ＵＳ−Ａ−５，６９２，５２５に開示された種類のシガレット）を含む喫煙物品を包装するために有利に用いることができる。
【００２７】
本発明による容器の寸法の適切な選択を通じて、本発明による容器は、異なる総数の喫煙物品、又は異なる配置の喫煙物品を保持するように設計することができる。例えば、本発明による容器の寸法の適切な選択を通じて、本発明による容器は、合計１０本から３０本の喫煙物品を保持するように設計することができる。
【００２８】
喫煙物品は、喫煙物品の総数に応じて、異なる丁合で配置することができる。例えば、喫煙物品は、６本、７本、８本、９本、又は１０本から構成される単一の列に配置することができる。代替的に、喫煙物品は、２つ又はそれよりも多くの列に配置することができる。２つ又はそれよりも多くの列には、同数の喫煙物品を収めることができる。例えば、喫煙物品は、５本、６本、７本、８本、９本、又は１０本から構成される２列、５本又は７本から構成される３列、４本、５本、又は６本から構成される４列に配置することができる。代替的に、２つ又はそれよりも多くの列は、互いに異なる数の喫煙物品を収めた少なくとも２つの列を含むことができる。例えば、喫煙物品は、５本から構成される列と６本から構成される列（５−６）、６本から構成される列と７本から構成される列（６−７）、７本から構成される列と８本から構成される列（７−８）、５本から構成される中心の列と６本から構成される２つの外側の列（６−５−６）、５本から構成される中心の列と７本から構成される２つの外側の列（７−５−７）、６本から構成される中心の列と５本から構成される２つの外側の列（５−６−５）、６本から構成される中心の列と７本から構成される２つの外側の列（７−６−７）、７本から構成される中心の列と６本から構成される２つの外側の列（６−７−６）、９本から構成される中心の列と８本から構成される２つの外側の列（８−９−８）、又は５本から構成される１つの外側の列及び７本から構成される１つの外側の列を備えた６本から構成される中心の列（５−６−７）に配置することができる。
【００２９】
本発明による容器は、同じ種類又は銘柄の喫煙物品を保持することができ、異なる種類又は銘柄の喫煙物品を保持する場合もある。更に、異なる長さ（例えば、約４０ｍｍから約１８０ｍｍ）、直径（例えば、約４ｍｍから約９ｍｍ）の喫煙物品のみならず、フィルタレス喫煙物品及び様々なフィルタチップを備えた喫煙物品の両方を収めることができる。更に、喫煙物品は、風味の強度、吸引抵抗、及び粒子状物質総送出量が異なっていてもよい。容器の寸法は、喫煙物品の長さ及び喫煙物品の丁合に適合されていることが好ましい。一般的に、容器の外形寸法は、容器の内側に収納された喫煙物品の一束又は複数束の寸法よりも約０．５ｍｍから約５ｍｍ大きい。
【００３０】
本発明による容器の長さ、幅、及び深さは、得られる容器の全体寸法が、閉じた位置で２０本のシガレットの一般的な使い捨てヒンジ蓋パックの寸法と同様になるようにすることができる。
【００３１】
本発明による容器の外面には、製造業者又は銘柄のロゴ、商標、スローガン、及び他の消費者情報及び標示を印刷、エンボス加工、デボス加工するなどして、装飾を付加することができる。
【００３２】
本発明による容器の内側ハウジングにシガレットの束又は他の細長い喫煙物品が収められている場合、喫煙物品は、例えば、金属箔又は金属化紙の内側ライナ内に包まれていることが好ましい。内側ライナは、密封又は糊付けすることができる。内側ライナは、少なくとも１つのアクセス開口部を含むことが好ましい。内側ライナは、アクセス開口部を閉鎖、開放、及び再閉鎖するためのカバー層を更に含むことが好ましい。これは、消費者物品を内側ライナから取り出して、消費者物品の取り出し後に内側ライナを再閉鎖することを可能にする。これは、内側ライナ内に残っている消費者物品の鮮度を維持することができる。
【００３３】
充填された状態で、本発明による容器は、従来の方法で、例えば、ポリエチレン又はポリプロピレンの透明ポリマーフィルムで収縮包装又はそうでなければ上包装することができる。本発明による容器が上包装される場合、上包装紙は、１つ又はそれよりも多くの開封テープを含むことができる。１つ又はそれよりも多くの開封テープは、容器の周りに横断方向又は縦方向に延びることができる。
【００３４】
本発明を単に一例として添付の図面を参照して以下に説明する。
【図面の簡単な説明】
【００３５】
【図１】波状輪郭によって境界付けられた前壁と１つの側壁との間に単一の波形面を有する本発明による容器の第１の実施形態のボール紙ブランクを示す図である。
【図２】波状輪郭によって境界付けられた２つの波形面を備えた本体及び波状輪郭によって境界付けられた２つの波形面を備えた蓋を有する本発明による容器のボール紙ブランクの第２の実施形態を示す図である。
【図３】同じく波状輪郭によって境界付けられた２つの波形面を有する図２の容器と共に用いられることになる内側フレームの実施形態を示す図である。
【図４】波状輪郭によって境界付けられた２つの波形面を備えた本体及び波形面を含んでいない蓋を有する本発明による容器のボール紙ブランクの第３の実施形態を示す図である。
【図５】波形面を有していない図４の容器と共に用いられることになる内側フレームの実施形態を示す図である。
【図６】波状輪郭によって境界付けられた１つの波形面を備えた本体及び波形面を含んでいない蓋を有する本発明による容器のボール紙ブランクの第４の実施形態を示す図である。
【図７】波形面を有していない図６の容器と共に用いられることになる内側フレームの実施形態を示す図である。
【図８】１つの波形面を備えた本体及び１つの波形面を備えた蓋を有する本発明による容器のボール紙ブランクの第５の実施形態を示す図である。
【図９】１つの波形面を有する図８の容器と共に用いられることになる内側フレームの実施形態を示す図である。
【図１０】１つの波形面を備えた本体及び波形面を含んでいない蓋を有する本発明による容器のボール紙ブランクの第６の実施形態を示す図である。
【図１１】波形面を有していない図１０の容器と共に用いられることになる内側フレームの実施形態を示す図である。
【発明を実施するための形態】
【００３６】
図１には、本発明による容器の第１の実施形態のボール紙ブランクの第１の実施形態が示されている。ボール紙ブランクは、折り畳んで糊付けして容器を形成することができるボール紙材料の１つの単片である。箱前壁及び箱側壁に糊付けされることになる内側フレームのための個別のブランクが提供される。図から分るように、ボール紙ブランクによって表された容器１は、以下の説明から明らかなように、波状輪郭によって境界付けられた前壁と１つの側壁との間に単一の波形面しか有していない。
【００３７】
以下の説明において、本発明による容器の構成要素の相対的位置を説明するのに用いられる用語「前部」、「後部」、「上側」、「下側」、「側部」、「上部」、「底部」、及び他の用語は、蓋が上端にかつヒンジが後部にある直立位置の容器を指す。本発明による容器を説明する時は、これらの用語は、説明している容器の向きに関係なく用いられる。
【００３８】
用語「左」及び「右」は、容器をその直立位置で前から見た時の容器の側壁を参照して用いられる。用語「縦方向」は、底部から上部に向う方向を指し、逆も同様である。用語「横断方向」は、縦方向に垂直な方向を指す。
【００３９】
容器１又はそのボール紙ブランクは、それぞれ、箱前壁１０と、箱底壁１１と、箱後壁１２と、互いに取り付けられた後に箱側壁部分１００、１０１及び１２０、１２１によって形成される２つの箱側壁と、蓋１３とを含む。蓋１３は、蓋後壁１３０と、蓋上壁１３１と、壁１３２、１３３間の折り畳み線に沿って蓋フラップ１３３を蓋後部の内側に向けて１８０度だけ折り畳み、次にそれを部分１３２に糊付けすることによって形成される蓋前壁とを含む。
【００４０】
ボール紙ブランクを折り畳んで糊付けし、容器１を形成する工程は、次のように行うことができる。最初に、波状輪郭１０２、１０３によって境界付けられた捩れた波形面１０４が形成されるように、箱前壁１０上の波状輪郭１０２に沿いかつ箱側壁１００上の波状輪郭１０３に沿って、左箱側壁１００を後部に向けて折り曲げる。この波形面１０４は、箱前壁１０及び箱側壁１００の縦方向に延びて、面取り部と同様に、箱前壁１０と左箱側壁１００を架橋する。破線１０５は、通常は箱前壁１０と左箱側壁１００の間に鋭い縁部が配置されている位置を表すために示されている。第２に、丸みを付けた縁部を形成するために、折り曲げ線１０６に沿って、右箱側壁１０１を後部に向けて折り曲げる。
【００４１】
左ダストフラップ１２２をそれ自体と側壁１２０の間の折り畳み線に沿って後部に向けて折り曲げ、次に、右ダストフラップ１２３をそれ自体と側壁１２１の間の折り畳み線に沿って後部に向けて折り曲げる。折り曲げ線１２６に沿って箱側壁１２０、１２１を後部に向けて折り曲げると、その結果、内向きに延びるダストフラップ１２２、１２３が得られる。次に、箱後壁１２をそれ自体と箱底壁１１の間の折り畳み線に沿って折り曲げ、続いて、箱底壁１１をそれ自体と箱前壁１０の間の折り畳み線、並びに箱底壁１１に沿って折り曲げる。その時に、箱後壁１２が箱前壁１０と平行に延びている。
【００４２】
この状態で、左箱側壁１００、１２０及び右箱側壁１０１、１２１は、箱側壁１００、１０１が箱側壁の最外壁を形成するような形で重なり合う。内向きに延びるダストフラップ１２２、１２３は、箱底壁１１の内面と重なり合う。次に、ダストフラップ１２２、１２３を箱底壁１１の内面に糊付けし、次に、箱側壁１００、１０１の内面を箱側壁１２０、１２１の外面に糊付けして容器１の箱側壁を形成する。これで、容器１の本体の組立てが完了する。
【００４３】
蓋１３の組立ては、同様の方法で行う。蓋ダストフラップ１３６をそれ自体と側壁１３４の間の折り畳み線に沿って後部に向けて折り畳む。それに対応して、蓋ダストフラップ１３７をそれ自体と側壁１３５の間の折り畳み線に沿って後部に向けて折り畳む。側壁１３８をそれ自体と前壁１３２の間の折り畳み線に沿って後部に向けて折り畳み、次に側壁１３９も折り曲げ線１４０に沿って後部に向けて折り畳んで、丸みを付けた縁部を形成する。
【００４４】
側壁１３４、１３５を後部に向けて折り畳むと、これは、内向きに延びるフラップ１３６、１３７をもたらす。既に上述のように、１３３は、既に後部に向けて折り畳まれて蓋前壁１３２に糊付けされている。次に、そのようにして得られた蓋前壁１３２、１３３を蓋前壁１３２と蓋上壁１３１の間の折り畳み線に沿って後部に向けて折り畳み、次に、蓋上壁１３１をそれ自体と後部１３０の間の折り畳み線に沿って後部に向けて折り畳む。
【００４５】
この状態で、内向きに延びるフラップ１３６、１３７を蓋上壁１３１の内面に糊付けする。側壁１３８、１３４及び側壁１３５、１３９も、側壁１３８、１３９が最外側壁を形成するような形で重なり合う。次に、側壁１３４の外面を側壁１３８の内面に糊付けし、それに対応して、側壁１３５の外面を側壁１３９の内壁に当てて糊付けする。次に、蓋後壁１３０と箱後壁１２の間の折り畳み線により、蓋のヒンジを形成する。
【００４６】
代替的に、容器は、箱後壁１２から開始して、箱側壁１２０、１２１及び蓋側壁１３４、１３５を上方へ折り畳み、喫煙物品の束を取り囲むように容器を組み立てることによって形成することができる。次に、ダストフラップ１２２、１２３、１３６、１３７をシガレット束の上部及び底部を取り囲むように折り畳む。次に、側壁１２０、１２１、１３４、及び１３５、並びにダストフラップ１２２、１２３、１３６、１３７に糊を適用する。次に、箱底壁１１を上方へ折り畳んで、箱ダストフラップ１２２、１２３に取り付ける。次に、蓋上壁１３１を上方へ折り畳んで蓋ダストフラップ１３６、１３７に取り付ける。次の段階の前の何らかの時点で、蓋フラップ１３３は、内向きに折り畳まれて蓋前壁１３２の内側に取り付けられる。次に、箱前壁１０及び蓋前壁１３２を喫煙物品の束の上に折り畳む。最終段階として、箱側壁１００、１０１が箱側壁１２０及び１２１の上に重なるように、箱側壁１００、１０１を下方へ折り畳んで側壁１２０、１２１に取り付ける。同様に、蓋側壁１３８、１３９が蓋側壁１３４、１３５の上に重なるように、蓋側壁１３８、１３９を下方へ折り畳んで蓋側壁１３４、１３５にそれぞれ取り付ける。
【００４７】
他の実施形態に関連して以下に更に説明するように、容器１に内側フレームが備えられることになるか否かによるが、これらの段階を行い終えていれば、容器１は基本的には準備が整っている。従って、更に別の実施形態の以下の説明では、同じ部分には同じ参照番号が割り当てられており、各特定的な実施形態に対して、「ａ」から「ｅ」の文字が追加される。しかし、容器のそれぞれの実施形態の組立ては、上述したものと同じ方法で行われるので、特に説明しないことにする。従って、本発明による容器のこれらの実施形態の組立てに関しては、図１の実施形態の説明を参照されたい。
【００４８】
図２には、本発明による容器のボール紙ブランクの第２の実施形態が示されている。ボール紙ブランクは、内側フレーム２ａ（図３参照）を除き、折り畳んで糊付けして容器１ａを形成することができるボール紙材料の１つの単片である。内側フレームは、例えば、容器１ａを形成するために折り畳んで糊付けされたボール紙ブランクの内壁に糊付けされたボール紙の個別の一片である。
【００４９】
容器１ａ又はそのボール紙ブランクは、それぞれ、箱前壁１０ａと、２つの側壁１００ａ、１０１ａと、波状輪郭１０２ａ、１０３ａによってそれぞれ境界付けられた２つの波形面１０４ａと、箱底壁１１ａとを含む。容器１ａは、箱後壁１２ａと、２つの更に別の箱側壁１２０ａ、１２１ａと、蓋１３ａとを更に含む。蓋１３ａは、蓋後壁１３０ａと、蓋上壁１３１ａと、壁１３２ａ、１３３ａ間の折り畳み線に沿って蓋フラップ１３３ａを後部に向けて折り畳み、次にそれを蓋前壁１３２ａに糊付けすることによって形成された蓋前壁とを含む。蓋１３ａは、波状輪郭１４２ａ、１４３ａによって境界付けられた２つの波形面１４１ａを更に含む。
【００５０】
ボール紙ブランクの残りのフラップには、図１の実施形態におけるものと同じ数字が割り当てられており、文字「ａ」が追加されている。
【００５１】
既に言及したように、上述の方法でボール紙ブランクが折り畳まれて糊付けされた状態で、内側フレーム２ａは、組み立てられたボール紙ブランクに取り付けられる。
【００５２】
内側フレーム２ａは、前部部分２０ａと２つの側方部分２１ａとを含む。更に、波状輪郭２２ａ、２３ａによって境界付けられた２つの波形面２４ａがあり、これらの波形面２４ａは、内側フレーム前部部分２０ａとそれぞれの内側フレーム側部部分２１ａとの間に配置される。図から分るように、それぞれの内側フレーム側部部分には、波状境界線２２ａ、２３ａのうちの１つから外向きに延びる耳状突起２５ａが設けられる。
【００５３】
内側フレーム２ａの下半分内の折り畳み線２６ａに沿いかつ内側フレーム２ａの上半分内の波状輪郭２２ａ、２３に沿って内側フレーム２ａを折り畳んだ後に、少なくとも波状輪郭２２ａ、２３ａによって境界付けられた波形面２４ａが箱前壁１０ａの上方境界を超えて突出し、かつ耳状突起２５ａが折り畳まれて糊付けされたボール紙ブランクの側壁の上方境界の上方に配置されるような形で、内側フレーム側部部分２１ａの外面を折り畳んで糊付けされたボール紙ブランクの側壁の内面に当てて糊付けする。従って、内側フレーム前部部分２０ａ及び内側フレーム側部部分２１ａの下側部分は、箱前壁１０ａの内面及び折り畳んで糊付けされたボール紙ブランクの側壁の内面に糊付けされる。
【００５４】
内側フレーム２ａが、折り畳んで糊付けされたボール紙ブランクに糊付けされた状態で、蓋１３ａを閉じると同時に、蓋側壁１３８、１３９が耳状突起２５ａを超えて摺って一種の非常に緩いスナップ式装着を形成し、閉鎖は、蓋１３の側壁が耳状突起２５ａを超えて摺る際の「クリック」ノイズによって示される。スナップ装着は、蓋１３ａをそのヒンジを中心としてピボット回転させることにより、従来の方法で蓋１３ａを容易に開くことができるようなものである。
【００５５】
上述の組立シーケンスの代替として、最初の段階で、内側フレーム２ａを喫煙物品の束の前面上に置き、内側フレーム側部部分２１ａを喫煙物品の束を取り囲むように下方に折り曲げる。次の段階で、上述のように、喫煙物品の束を取り囲むように容器を組み立て、加えて、内側フレーム側部部分２１ａが箱側壁１２０ａ、１２１ａに取り付けられ、かつ内側フレーム前部部分２０ａが箱前壁１０ａの内側に取り付けられるように内側フレームに糊を適用する。
【００５６】
本発明による容器１ｂ又はそのボール紙ブランクの第３の実施形態を図５に示す対応する内側フレーム２ｂと共にそれぞれ図４に示している。ここでも、同じ部分には同じ参照番号が割り当てられているが、この実施形態には文字「ｂ」が追加されている。基本的に、容器１ｂの第３の実施形態は、蓋１３ｂが波形面を全く有していない点で図２及び図３に示す実施形態とは異なっている。これは、内側フレーム２ｂにも当て嵌まる。
【００５７】
本発明による容器１ｃ又はそのボール紙ブランクの第４の実施形態を図７に示す対応する内側フレーム２ｃと共にそれぞれ図６に示している。ここでも、同じ部分には同じ参照番号が割り当てられているが、この実施形態には文字「ｃ」が追加されている。基本的に、容器の第４の実施形態は、それが箱前壁１０ｃと側壁１０１ｃの間に１つだけの波形面１０４ｃを有する点、及び蓋１３ｃも内側フレーム２ｃもそのような波形面を全く有していない点で異なっている。代わりに、ボール紙ブランクの箱前壁１０ｃと左箱側壁１００ｃの間に対応する折り曲げ線１０６ｃが設けられている位置で、内側フレーム２ｃには、前部２０ｃと側部２１ｃの間に設けられた折り曲げ線２６ｃが提供される。
【００５８】
本発明による容器１ｄ又はそのボール紙ブランクの第５の実施形態を図９に示す対応する内側フレーム２ｄと共にそれぞれ図８に示している。ここでも、同じ部分には同じ参照番号が割り当てられているが、この実施形態には文字「ｄ」が追加されている。基本的に、容器の第４の実施形態は、それが箱前壁１０ｄと左箱側壁１００ｄの間に１つだけの波形面１０４ｄを有する点、及び蓋１３ｄが１つの対応する波形面１４１ｄを有し、かつ内側フレーム２ｄも前部２０ｄと対応する側部２１ｄの間に１つのそのような対応する波形面２４ｄを有する点で異なっている。更に、ボール紙ブランクの箱前壁１０ｄと箱側壁１０１ｄの間に対応する折り曲げ線１０６ｄが設けられている位置で、内側フレーム２ｄには、前部２０ｄと他方の側部２１ｄの間に設けられた折り曲げ線２６ｄが提供される。ボール紙ブランク及び内側フレームを組み立てる方法については、上のボール紙ブランク及び内側フレームの組立てに関する説明を参照されたい。
【００５９】
本発明による容器１ｅ又はそのボール紙ブランクの第６の実施形態を図１１に示す対応する内側フレーム２ｅと共にそれぞれ図１０に示している。ここでも、同じ部分には同じ参照番号が割り当てられているが、この実施形態には文字「ｅ」が追加されている。図１０及び図１１に示す第６の実施形態は、基本的に、図６及び図７に示す第４の実施形態に対応する。差異は、前部表面１０ｅとそれぞれの他方の側部表面１００ｅの間に波形面１０４ｅ及び折り曲げ線１０６ｅが配置されていることである。更に、内側フレーム２ｅの折り曲げ線２６ｅ並びに蓋１３ｅの折り曲げ線１４０ｅが、相応に配置されている。
【符号の説明】
【００６０】
１  容器
１３  蓋
１０３  波状輪郭
１０６、１２６、１４０  折り曲げ線
１３３  蓋フラップ
【図１】
2013534497.tif 000003
【図２】
2013534497.tif 000004
【図３】
2013534497.tif 000005
【図４】
2013534497.tif 000006
【図５】
2013534497.tif 000007
【図６】
2013534497.tif 000008
【図７】
2013534497.tif 000009
【図８】
2013534497.tif 000010
【図９】
2013534497.tif 000011
【図１０】
2013534497.tif 000012
【図１１】
2013534497.tif 000013
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
箱を含む容器であって、
箱が、箱底壁と、第１の箱側壁と、第２の箱側壁と、箱背面壁と、箱前壁とを更に含み、
容器が、蓋を更に含み、該蓋は、ヒンジ線にわたってヒンジ式に前記箱に接続され、該蓋は、蓋上壁と、第１の蓋側壁と、第２の蓋側壁と、蓋背面壁と、蓋前壁とを更に含み、
容器が、２つの波状輪郭によって境界付けられた少なくとも１つの波形面を含み、該少なくとも１つの波形面は、前記蓋の２つの隣接する壁間又は前記箱の２つの隣接する壁間に該少なくとも１つの波形面が該２つの隣接する壁を少なくとも部分的に架橋するように配置され、
前記波形面を境界付ける前記２つの波状輪郭は、互いに対して位相差を含む、
ことを特徴とする容器。
【請求項２】
前記箱の円周の方向の前記２つの波状輪郭間の距離が、連続的に変化することを特徴とする請求項１に記載の容器。
【請求項３】
前記少なくとも１つの波形面は、前記箱前壁と前記箱側壁のうちの一方との間に設けられることを特徴とする請求項１から請求項２のいずれか１項に記載の容器。
【請求項４】
２つの波状輪郭によって境界付けられた少なくとも１つの第１の波形面が、２つの箱壁間に設けられ、少なくとも１つの第２の波形面が、２つの蓋壁間に設けられることを特徴とする請求項１から請求項３のいずれか１項に記載の容器。
【請求項５】
前記箱前壁に取り付けられた個別の内側フレームを更に含み、
前記内側フレームは、前記蓋が閉じる時に該蓋のためのロッキング係合を提供するために該内側フレームから外向きに延びる耳状突起を有しており、
前記内側フレームは、前記箱前壁と該内側フレームの隣接する箱側壁との間に配置されて該箱前壁と該内側フレームの該隣接する箱側壁とを架橋する２つの波状輪郭によって境界付けられた少なくとも１つの波形面を含む、
ことを特徴とする請求項１から請求項５のいずれか１項に記載の容器。
【請求項６】
同じ２つの隣接する壁の間に配置された２つから５つの波形面を含むことを特徴とする請求項１から請求項５のいずれか１項に記載の容器。
【請求項７】
喫煙物品を含むことを特徴とする請求項１から請求項６のいずれか１項に記載の容器。
【国際調査報告】
2013534497.tif 000014
2013534497.tif 000015